(57)【要約】【課題】  クリーナーブラシと、クリーニングペーパ／布と、クリーナー瓶等を一体的に有するクリーニングツールであって、ユーザの携帯及び使用に便利であると共に、各種クリーニングツールの紛失と粉塵の汚染を避けることのできる電気光学レンズクリーナーを提供する。【解決手段】  電気光学レンズのクリーニングに用いる電気光学レンズクリーナー１において、ハウジング２と、前記ハウジング２内の下部に収納されるレンズクリーニングペーパ／布１００と、前記ハウジング２内の上部に収納され、クリーニング液を収容する瓶ボデー４２と給液部４４とを有するクリーナー瓶４と、前記ハウジング２の側部に収納されるクリーナーブラシ３とを備え、前記ハウジング２には、前記クリーナー瓶４の給液部４４をハウジング外に露出するための上端開口部２１と、レンズクリーニングペーパ／布１００を取出すための取出し隙間２４０が形成されている。【選択図】  図１
0003113624.tif 000002
【実用新案登録請求の範囲】
【請求項１】
電気光学レンズのクリーニングに用いる電気光学レンズクリーナーにおいて、
ハウジングと、前記ハウジング内の下部に収納されるレンズクリーニングペーパ／布と、前記ハウジング内に収納され、クリーニング液を収容する瓶ボデーと給液部とを有するクリーナー瓶と、前記ハウジングの一端に収納されるクリーナーブラシとを備え、
前記ハウジングには、前記クリーナー瓶の給液部をハウジング外に露出するための上端開口部と、レンズクリーニングペーパ／布を取出すための取出し隙間が形成されていることを特徴とする電気光学レンズクリーナー。
【請求項２】
前記ハウジングは第一半分ハウジングと第二半分ハウジングとが相互に係合することにより構成され、前記第一半分ハウジングと第二半分ハウジングの夫々には相互に対応する係合部材が複数設けられていることを特徴とする請求項１に記載された電気光学レンズクリーナー。
【請求項３】
前記クリーナー瓶は前記複数の係合部材の間に固定されて前記ハウジング内に収納されることを特徴とする請求項２に記載された電気光学レンズクリーナー。
【請求項４】
前記第二半分ハウジングの一方の側端には、前記取出し隙間に近接して設けられると共に先端に複数の鋸歯が形成された活動蓋が延出して形成され、
前記第一半分ハウジングには、前記取出し隙間に近接して設けられると共に前記活動蓋を閉じた状態で該活動蓋の両側に位置するように設けられたバンクが形成され、
前記活動蓋は、前記第二半分ハウジングの側端を軸に折り曲げ可能に設けられ、蓋を閉じた状態で前記バンクにより固定されることを特徴とする請求項２に記載された電気光学レンズクリーナー。
【請求項５】
前記ハウジングの側面には少なくとも一つの押し孔が形成され、前記クリーナー瓶の瓶ボデーは前記押し孔において露出され、
さらに前記クリーナー瓶の給液部を覆う蓋体を備えることを特徴とする請求項１に記載された電気光学レンズクリーナー。
【請求項６】
前記クリーナー瓶の給液部は、押しノズル構造を有することを特徴とする請求項１又は請求項５に記載された電気光学レンズクリーナー。
【請求項７】
前記ハウジングには滑動溝が形成され、
前記クリーナーブラシは、
前記ハウジング内に収納される際、前記滑動溝内に滑動して設置される本体部と、
前記本体部に取り付けられ、前記ハウジングへ延出するブラシ部とを有することを特徴とする請求項１に記載された電気光学レンズクリーナー。
【請求項８】
前記滑動溝には前記クリーナーブラシの本体部が滑動するためのバンクが設けられ、
前記バンクには、前記本体部の滑動方向に沿って複数の位置決め凹溝が形成され、
前記クリーナーブラシの本体部における前記バンクと当接する面には、前記位置決め凹溝に嵌合するように突起した位置決め柱が形成され、
前記本体部の位置決め柱が、前記いずれかの位置決め凹溝に嵌合することにより前記クリーナーブラシの位置決めがなされることを特徴とする請求項７に記載された電気光学レンズクリーナー。
【請求項９】
前記ハウジングは円柱形状に形成され、
前記クリーナー瓶は前記ハウジング内部の上端に収納され、
前記レンズクリーニングペーパ／布は前記ハウジング内部の下端に収納され、
前記クリーナーブラシは前記ハウジング内部の下端であって、前記レンズクリーニングペーパ／布の側端に収納されることを特徴とする請求項１に記載された電気光学レンズクリーナー。
【請求項１０】
前記ハウジングは円柱形状に形成され、前記クリーナー瓶は前記ハウジング内部の中央に収納され、前記レンズクリーニングペーパ／布は前記ハウジング内部の一端に収納され、前記クリーナーブラシは前記ハウジング内部の他端に収納され、
前記ハウジングには前記クリーナーブラシの本体部が滑動するためのバンクが設けられ、前記バングには複数の位置決め凹溝が配置され、
前記クリーナーブラシは突起が形成された位置決めバーを有し、前記位置決めバーの突起が、前記複数の位置決め凹溝のいずれかに嵌合されることにより位置決めがなされることを特徴とする請求項１に記載された電気光学レンズクリーナー。
【考案の詳細な説明】
【技術分野】
【０００１】
本考案は電気光学レンズクリーナーに関し、カメラ、ビデオなどの電気光学レンズをクリーニングし、特にクリーナーブラシと、レンズクリーニングペーパ／布と、クリーニング液を収容したクリーナー瓶とを一体的に有する電気光学レンズクリーナーに関する。
【背景技術】
【０００２】
従来の電気光学レンズクリーナーは通常、分離された複数のクリーニングツールにより構成される。それら複数のツールとしては、例えば、クリーナーブラシ、レンズクリーニング用ペーパ／布、クリーニング液を収容したクリーナー瓶及びクリーニングペーパを挟むやっとこ等があり、収納の際にはそれらが一つの袋に入れられる。
電気光学レンズのクリーニングを行う際には、先ずレンズに残る粉塵をブラシにより除去し、クリーナー瓶に収容されたクリーニング液をレンズに滴下する。それから、やっとこを用いてレンズクリーニングペーパ／布を挟み、レンズを拭く作業を行う。
【考案の開示】
【考案が解決しようとする課題】
【０００３】
しかしながら、前記した従来の電気光学レンズのクリーニング作業は大変不便である。即ち、複数のクリーニングツールを収容するための袋の口にはシーリング機能がないため、粉塵が入ってクリーニングペーパ／布に付き易く、清潔な効果が劣化するという問題があった。さらに、各クリーニングツールが収納袋の中で分散されるので、使用する時に、袋の中から必要なものを探して取り出す作業がユーザにとって不便であり、また、ツールが分散するため、ツールを紛失するおそれがあった。
【０００４】
本考案は前記したような事情を鑑み、鋭意研究の成果としてなされたものであり、クリーナーブラシと、レンズクリーニングペーパ／布と、クリーナー瓶等を一体的に有するクリーニングツールであって、ユーザの携帯及び使用に便利であると共に、各種クリーニングツールの紛失と粉塵の汚染を避けることのできる電気光学レンズクリーナーを提供することを目的とする。
【課題を解決するための手段】
【０００５】
前記の目的を達成するために、本考案の電気光学レンズクリーナーは、電気光学レンズのクリーニングに用いる電気光学レンズクリーナーにおいて、ハウジングと、前記ハウジング内の下部に収納されるレンズクリーニングペーパ／布と、前記ハウジング内に収納され、クリーニング液を収容する瓶ボデーと給液部とを有するクリーナー瓶と、前記ハウジングの一端に収納されるクリーナーブラシとを備え、前記ハウジングには、前記クリーナー瓶の給液部をハウジング外に露出するための上端開口部と、レンズクリーニングペーパ／布を取出すための取出し隙間が形成されていることに特徴を有する。
【０００６】
このように構成されることにより、全てのクリーナーツールがハウジング内に機能的に収納され、容易に目的のツールのみを使用することができる。これにより、ユーザのクリーニング作業がより便利となり、また、ツールの紛失を回避することができ、粉塵により汚染することもない。
【考案の効果】
【０００７】
本考案によれば、クリーナーブラシと、レンズクリーニングペーパ／布と、クリーナー瓶等を一体的に有するクリーニングツールであって、ユーザの携帯及び使用に便利であると共に、各種クリーニングツールの紛失と粉塵の汚染を避けることのできる電気光学レンズクリーナーを得ることができる。
【考案を実施するための最良の形態】
【０００８】
以下、本考案に係る電気光学レンズクリーナーにつき、図に示す実施の形態に基づいて説明する。先ず、本考案の電気光学レンズクリーナーの第一の実施の形態について説明する。
図１は電気光学レンズクリーナーの第一の実施の形態を示す正面図であり、図２は側面図である。図示するように本考案の電気光学レンズクリーナー１は、ハウジング２と、クリーナー瓶４と、クリーナーブラシ３とを備えている。即ち、この電気光学レンズクリーナー１は、電気光学レンズをクリーニングするための道具を一体的に収納するので、携帯が便利となっている。
【０００９】
さらに電気光学レンズクリーナー１の構造を図３乃至図６に基づいて詳細に説明する。図３は図２の断面図である。また、図４は図３に示す矢視Ａ−Ａの断面図、図５は図３に示す矢視Ｂ−Ｂの断面図、図６は図３に示す矢視Ｃ−Ｃの断面図である。尚、図４はクリーナー瓶４と蓋５の図示を省略している。
図示するように、前記ハウジング２は、第一半分ハウジング２ａと第二半分ハウジング２ｂにより構成され、それらが係合し合うことにより全体的に円柱状の形状を呈している。
【００１０】
図４に示すように、前記第一半分ハウジング２ａと第二半分ハウジング２ｂには、それぞれに対応する係合部材２８ａ、２８ｂが複数設けられ、それらにより双方が係合可能に構成されている。また、この係合構造により、必要時には第一半分ハウジング２ａと第二半分ハウジング２ｂとを分離し易くなされ、消耗部材の補充等が容易に行えるようになされている。
【００１１】
図４に示すように、前記ハウジング２の上端にはクリーナー瓶４を露出するための上端開口部２１が形成されている。また、前記ハウジング２の側部には、ユーザがクリーナー瓶４を押すことができるように二つの押し孔２６ａ、２６ｂとが形成されている。さらにハウジング２の側部には、図３に示すようにクリーナーブラシ３を滑動可能に収容するための滑動溝２２が形成され、図６に示すように、ハウジング２内に収納されるレンズクリーニングペーパ／布１００を取り出すための取り出し隙２４０が形成されている。
【００１２】
前記したように、クリーナーブラシ３はハウジング２の滑動溝２２に収容可能になされている。図３に示すように、ハウジング２の底部には底部連通口２２０が形成され、ハウジング２の側部には滑動溝２２がハウジング外に連通するための側部連通口２２１が形成されている。また、ハウジング２には、前記滑動溝２２に近接して形成された滑動バンク２７が設けられ、この滑動バンク２７には位置決め凹溝２７２が複数設けられている。
【００１３】
また、クリーナーブラシ３は、前記滑動溝２２内に滑動可能に設置される本体部３２と、側部連通口２２１に露出される部分である押出し部３４と、底部連通口２２０を通過してハウジング２外部に延出するブラシ部３６とを有している。
尚、本第一の実施の形態において、クリーナーブラシ３は、前記本体部３２の一端に収納溝を設け、前記ブラシ部３６の一端を前記収納溝内に収納して構成したが、前記ブラシ部３６の一端と本体部３２の一端の外囲とを結合して構成してもよい。
【００１４】
クリーナーブラシ３をハウジング２に収容する際には、クリーナーブラシ３の底部が滑動バンク２７に当接して滑動される。クリーナーブラシ３の本体部３２には突起した位置決め柱３８が形成され、この位置決め柱３８の先端と位置決め凹溝２７２のいずれかが嵌合することによりクリーナーブラシ３の位置決めがなされる。
また、本実施の形態においては、図３に示すように、クリーナーブラシ３がハウジング２内の下端に収納され、その側方にレンズクリーニングペーパ／布１００が収容される。
また、図１に示すように、ハウジング２に形成された側部連通口２２１は、ユーザが指で前記クリーナーブラシ３を流暢に押して滑動させることができるようにスライド溝として機能する。
【００１５】
本考案の特徴の一つは、レンズクリーニングペーパ／布の取り出し方法にある。
即ち、前記ハウジング２には活動蓋２４が設けられる。本実施の形態では、レンズクリーニングペーパ／布１００はハウジング２内の下端に収納され、且つ、ペーパ／布端部が取出し隙間２４０から露出される。
さらに図６に示すように、レンズクリーニングペーパ／布１００の端部は、第二半分ハウジング２ｂの縁端の取出し隙間２４０から引出され、活動蓋２４により折り曲げられてハウジング外に導かれるようになされている。
【００１６】
また、図１、図２に示すように前記活動蓋２４の外縁には複数の鋸歯２４２が形成され、これにより、長尺のレンズクリーニングペーパ／布を適切な長さに切ることが容易となる。
また、第一半分ハウジング２ａには、取出し隙間２４０に位置し、且つ、活動蓋２４の両側に位置するバング２５が形成され、これによりハウジング２の構造を強化し、活動蓋２４を固着するようになされている。
尚、前記レンズクリーニングペーパ／布１００は一枚により形成されたものであってもよいし、或いは複数枚により形成されたものであってもよい。
【００１７】
また、図３に示すように、本実施の形態においては、クリーナー瓶４がハウジング２内の上端に収納される。
クリーナー瓶４はハウジング２に収納される瓶のボデー４２及び前記上端開口部２１に露出される給液部４４を有する。
このクリーナー瓶４のハウジング２への収納においては、図４に示した係合部材２８ａ、２８ｂが係合することで図３に示すように瓶のボデー４２がハウジング２内に固定される。
また、図１と図２に示すように、瓶のボデー４２が前記押し孔２６ａ、２６ｂに露出されているため、ユーザが押し孔２６ａ、２６ｂから瓶のボデー４２を押し易くなされている。即ち、ユーザが瓶のボデー４２を押すことにより前記クリーナー瓶４内のクリーナー液が前記給液部４４に押し出されるようになされている。
【００１８】
また、本考案に係る電気光学レンズクリーナー１は更に前記クリーナー瓶４の前記給液部４４を覆うための蓋体５を有する。本実施の形態では、前記蓋体５は前記クリーナー瓶４の前記給液部４４の上端に螺合されるが、係合などの方式により前記給液部４４を覆ってもよい。
【００１９】
本考案に係る電気光学レンズクリーナー１を使う時には、先ず、前記クリーナーブラシ３の押出し部３４を押し、前記ブラシ部３６を前記底部連通口２２０へ伸ばして、このブラシ部３６により電気光学レンズに残る粉塵を除去する。
次に、前記蓋体５を取り、前記クリーナー瓶４の瓶ボデー４２を押すことでクリーナー液を前記電気光学レンズに滴下する。そして、前記レンズクリーニングペーパ／布１００を前記取出し隙間２４０から取出し、且つ前記活動蓋２４の鋸歯２４２により所定な数量を適度に取出し、前記電気光学レンズを拭う。このようにして、電気光学レンズを確実に、且つ簡単に綺麗にすることができる。
【００２０】
以上説明した第一の実施の形態によれば、クリーナーブラシ３と、クリーニングペーパ／布１００と、クリーナー瓶４等を一体的に収容でき、ユーザの携帯及び使用に便利であると共に、各種クリーニングツールの紛失と粉塵の汚染を避けるという本考案の目的を達成することができる。
【００２１】
続いて、本発明に係る電気光学レンズクリーナーの第二の実施の形態について図７乃至図１１に基づいて説明する。
図７は電気光学レンズクリーナーの第二の実施の形態を示す斜視図であり、図８はその横断面図である。また、図９は図８に示す矢視Ｄ−Ｄの断面図、図１０は図８に示す矢視Ｅ−Ｅの断面図、図１１は図８に示す矢視Ｆ−Ｆの断面図である。
【００２２】
図示するように、電気光学レンズクリーナー１’は、ハウジング６と、クリーナーブラシ７と、クリーナー瓶８とにより構成される。
また、前記ハウジング６は全体的に円柱形状に形成されている。図９に示すように、ハウジング６は、第一半分ハウジング６ａと第二半分ハウジング６ｂとが係合することにより形成され、第一半分ハウジング６ａと第二半分ハウジング６ｂの夫々には対応する係合部材６８ａ、６８ｂが複数設けられている。
【００２３】
図１１に示すように前記ハウジング６の上端には上端開口部６１が設けられている。また、ハウジング６の側面には、クリーナー瓶８を押すための少なくとも一つの押し孔６６ａ、６６ｂが形成されている。さらに、ハウジング６には、図８に示すようにクリーナーブラシ７を収納するための滑動溝６２と、図１０に示すようにハウジング６内に収納されるレンズクリーニングペーパ／布１００を取出すための取り出し隙６４０が形成されている。
【００２４】
また、図８に示すようにハウジング６の底部と側端には夫々、前記滑動溝６２と、前記滑動溝６２に連通する側部連通口６２１が形成される。
図１０に示すように、前記第二半分ハウジング６ｂの一方の側端には、取出し隙間６４０に近接し、前記側端を軸に折り曲げ可能に形成された活動蓋６４が延出して設けられている。そして、図７に示すように、この活動蓋６４の先端にはレンズクリーニングペーパ／布を切断するための複数の鋸歯６４２が形成されている。また、前記第一半分ハウジング６ａには前記取出し隙間２４０に近接し、前記活動蓋６４を閉じた状態で、この活動蓋６４の両側に位置する二つのバンク６５が設けられている。即ち、活動蓋６４を閉じた状態で、これらバンク６５により蓋が固定されるように構成されている。
【００２５】
また、図８、図１０に示すように、第二半分ハウジング６ｂにはクリーナー瓶８を挟み込んで固定するための二つの鋏板６９が設けられている。  即ち、クリーナー瓶８はハウジング６内部の中央に収納される。
図８に示すように、クリーナー瓶８はハウジング６に収納される瓶のボデー８２と、上端開口部６１から露出される給液部８４とを有する。そして、前記瓶ボデー８２が前記鋏板６９の間に固定されると共に、前記押し孔６６ａ、６６ｂから露出される。
【００２６】
また、本考案の電気光学レンズクリーナー１’はクリーナー瓶８の給液部８４を覆うための蓋体９を更に有する。
また、本実施の形態においては、前記レンズクリーニングペーパ／布１００は、ハウジング６内部の一端に収納されると共に、前記取出し隙間６４からその先端が露出される。また、前記クリーナーブラシ７はハウジング６内部の他端に収納される。
【００２７】
図８に示すように、クリーナーブラシ７’は、前記滑動溝６２内に滑動可能に設けられる本体部７２と、ハウジング６の側部連通口６２１から露出される押出し部７４と、底部連通口６２０からハウジング６外部へ延出されるブラシ部７６と、本体部７２に弾性的に結合される位置決めバー７８とを有する。
【００２８】
前記位置決めバー７８には突起が形成され、その突起が滑動バンク６７に形成された複数の位置決め凹溝６７２のうち、いずれかに嵌合することにより位置決めがなされる。
また、本実施の形態では、前記ブラシ部７６は前記本体部７２の一端に接合され、クリーナーブラシ７’が構成される。
また、図７に示すように、前記ハウジング６の側端にはスライド溝６３が形成され、指で前記クリーナーブラシ７’を流暢に押すことが可能になされている。
【００２９】
以上説明した第二の実施の形態における利点は、前記クリーナー瓶８をハウジング６の中央位置に配置し、前記レンズクリーニングペーパ／布１００及び前記クリーナーブラシ７’をハウジング６内の両側端に夫々収容したことにある。
したがって、第二の実施の形態によれば、本考案の目的が達成できるだけでなく、クリーナー瓶８内のクリーナーの容量やレンズクリーニングペーパ／布１００の容量を第一の実施の形態よりも大きくすることができる。
【００３０】
続いて、図１２に基づいて本考案に係る電気光学レンズクリーナーの第三の実施の形態について説明する。尚、本実施の形態においては、前記した第二の実施の形態の一部が他の形態となされる。したがって、同じ構造の箇所は同じ符号で示し、その詳細な説明は省略する。
本実施の形態では、クリーナー瓶８が押しノズル構造（スプレーノズル構造）を有する給液部８５を備える。この給液部８５の構造においては、押しノズルのパイプが瓶ボデー８２内部へ延出し、給液部８５の上端を押すとクリーナーがノズルに供給され、スプレー噴射される。即ち、この実施形態の利点は、前記ハウジング６の側端に押し孔を設置する必要がないことである。
【００３１】
また、図に示すように、クリーナーブラシ７’はハウジング２の表面に設けられてもよい。このように構成すれば、クリーナーブラシ７’をハウジング６内部の空間に設ける必要がない。
また、図に示すように、前記ハウジング６の側面にクリーナーブラシ７’をユーザの手でスライドするためのスライド溝６３’が形成される。このスライド溝６３’には、クリーナーブラシ７’の位置決めをするための機構として、突起状の位置決め柱６２’と、この位置決め柱６２’の位置を固定するための位置決めバー７８’が設けられている。これにより前記クリーナーブラシ７がスライド溝６３’に沿って滑動し、前記位置決め柱６２’によって位置決めされる。
尚、前記クリーナーブラシ７’は、図示しない係合手段により前記ハウジング６の表面に係合して取り付けられてもよい。
【００３２】
以上、説明したように、本考案に係る第一乃至第三の実施の形態によれば、全てのクリーナーツールがハウジング内に機能的に収納され、容易に目的のツールのみを使用することができる。これにより、ユーザのクリーニング作業がより便利となり、また、ツールの紛失を回避することができ、粉塵により汚染することもない。
【００３３】
具体的には、前記クリーナー瓶の瓶ボデーは前記ハウジングの押し孔に露出されるので、その中のクリーニング液が押出し易い。
また、前記レンズクリーニングペーパ／布１００が前記ハウジングの取出し隙間に露出されるので、取出され易い。尚、本考案に係る電気光学レンズクリーナーは、連続性（長尺）のレンズクリーニングペーパ／布を適用でき、前記活動蓋によりレンズクリーニングペーパ／布を切ることが容易となる。
また、前記クリーナーブラシの本体部は前記ハウジングの滑動溝内に滑動に設けられるため、ユーザは押し易く、前記ハウジングから外れることがない。
【産業上の利用可能性】
【００３４】
本考案は、カメラや望遠鏡等の電気光学レンズをクリーニングするための電気光学レンズクリーナーであり、そのような電気光学レンズを搭載したデバイスのユーザ等に好適に使用されるものである。
【図面の簡単な説明】
【００３５】
【図１】図１は、本考案に係る電気光学レンズクリーナーの第一の実施の形態を示す正面図である。
【図２】図２は、図１の電気光学レンズクリーナーの側面図である。
【図３】図３は、図２の断面図である。
【図４】図４は、図３に示す矢視Ａ−Ａの断面図である。
【図５】図５は、図３に示す矢視Ｂ−Ｂの断面図である。
【図６】図６は、図３に示す矢視Ｃ−Ｃの断面図である。
【図７】図７は、本発明に係る電気光学レンズクリーナーの第二の実施の形態を示す斜視図である。
【図８】図８は、図７の電気光学レンズクリーナーの横断面図である。
【図９】図９は、図８に示す矢視Ｄ−Ｄの断面図である。
【図１０】図１０は、図８に示す矢視Ｅ−Ｅの断面図である。
【図１１】図１１は、図８に示す矢視Ｆ−Ｆの断面図である。
【図１２】図１２は、本発明に係る電気光学レンズクリーナーの第三の実施の形態を示す斜視図である。
【符号の説明】
【００３６】
１、１’        電気光学レンズクリーナー
２、６          ハウジング
２ａ、６ａ      第一半分ハウジング
２ｂ、６ｂ      第二半分ハウジング
２１            上端開口部
２２            滑動溝
２２０          底部連通口
２２１          側部連通口
２４            活動蓋
２４０          取出し隙間
２４２          鋸歯
２５            バンク
２６ａ、２６ｂ  押し孔
２７            滑動バンク
２７２          位置決め凹溝
２８ａ、２８ｂ  係合部材
３              クリーナーブラシ
３２            本体部
３４            押出し部
３６            ブラシ部
３８            位置決め柱
４              クリーナー瓶
４２            瓶のボデー
４４            給液部
５              蓋体
６              ハウジング
６ａ            第一半分ハウジング
６ｂ            第二半分ハウジング
６８ａ、６８ｂ  係合部材
６１            上端開口部
６２            滑動溝
６２、６２’    位置決め柱
６３、６３’    スライド溝
６２０          底部連通口
６２１          側部連通口
６４            活動蓋
６４０          取出し隙間
６４２          鋸歯
６５            バンク
６６ａ、６６ｂ  押し孔
６７            滑動バンク
６７２          位置決め凹溝
６９            鋏板
７、７’        クリーナーブラシ
７２            本体部
７４            押出し部
７６            ブラシ部
７８、７８’    位置決めバー
８              クリーナー瓶
８２            瓶ボデー
８４、８５      給液部
９              蓋体
１００          レンズクリーニングペーパ／布
【図１】
0003113624.tif 000003
【図２】
0003113624.tif 000004
【図３】
0003113624.tif 000005
【図４】
0003113624.tif 000006
【図５】
0003113624.tif 000007
【図６】
0003113624.tif 000008
【図７】
0003113624.tif 000009
【図８】
0003113624.tif 000010
【図９】
0003113624.tif 000011
【図１０】
0003113624.tif 000012
【図１１】
0003113624.tif 000013
【図１２】
0003113624.tif 000014